(57)【要約】【目的】複数のユニットを桁等から吊り下げて又は桁等に固定して足場を形成するための長方形又は正方形の足場用ユニット【構成】該ユニットは、構造材と該構造材に固定された踏み板とを含み、構造材は、平行に配置された少なくとも２本の断面Ｌ字形鉄骨のＬ字梁と、Ｌ字梁と直交するように平行に配置された少なくとも２本のトラス梁とを含み、該トラス梁の各々は１本又は２本の平行な直線状の鉄筋と、該直線状の鉄筋に頂点部分が溶接されているトラス構造部の複数を形成するためのジグザグ形の鉄筋とからなり、該Ｌ字梁は、各々のトラス梁に関して、該直線状の鉄筋と該トラス構造部を形成する鉄筋のなす三角形の一つに挿入されて、Ｌ字梁の一平面が該直線状の鉄筋と接しＬ字梁の該一平面に属さない平面の縁が該トラス構造部の頂点部分の内側に接しており、該Ｌ字梁と該トラス梁との該接触部が溶接されている。【選択図】  図１
2004190304.tif 000002
【特許請求の範囲】
【請求項１】
複数のユニットを桁等から吊り下げて又は桁等に固定して足場を形成するための長方形又は正方形の足場用ユニットに於いて、
該ユニットが構造材と該構造材に固定された踏み板とを含み、
該構造材が、平行に配置された少なくとも２本の断面Ｌ字形等の形状の鉄骨で形成されたＬ字梁と、Ｌ字梁と直交するように平行に配置された少なくとも２本のトラス梁とを含み、
該トラス梁の各々は１本又は２本の平行な直線状の鉄筋と、該直線状の鉄筋に頂点部分が溶接されているトラス構造部の複数を形成するためのジグザグ形の鉄筋とからなり、
該Ｌ字梁は、各々のトラス梁に関して、該直線状の鉄筋と該トラス構造部を形成する鉄筋のなす頂点が上向き又は下向きの三角形の一つに挿入されて、Ｌ字梁の一平面が該直線状の鉄筋と接しＬ字梁の該一平面に属さない平面の縁が該トラス構造部の頂点部分の内側に接しており、
該Ｌ字梁と該トラス梁との該接触部が溶接されている
ことを特徴とする足場用ユニット。
【請求項２】
該ユニットが、該構造材の上下に取り付けられる上板及び底板と、該構造材の左右前後に取り付けられる側板と、該構造材の少なくとも２ヵ所に取付けられる固定部材とを含んでおり、該上板が該踏み板をなす請求項１に記載の足場用ユニット。
【請求項３】
該ユニットが、上板と底板の間に吸音材を含み、足場用ユニットで形成される足場が防音機能、吸音機能、又は消音機能を有している請求項３に記載の足場用ユニット。
【請求項４】
該構造材の該トラス梁の各々が一本の直線状の鉄筋を有し、該直線状の鉄筋がトラス構造部を形成するためのジグザグ形の鉄筋の下側又は上側にある請求項１に記載の足場用ユニット。
【請求項５】
請求項１又は４に記載の足場用ユニットで使用される該構造材。
【発明の詳細な説明】
【０００１】
【産業上の利用分野】
本発明は、複数のユニットを桁等から吊り下げて又は桁等に固定して足場を形成するための長方形又は正方形の足場用ユニット、及びその足場用ユニットで使用される構造材に関する。特に、本発明は高架道路下等に設ける吸音装置を兼用するものとして常時設置したままにしておくのに適した足場用ユニット及びその構造体に関する。
【０００２】
【従来の技術】
高架道路下等に設ける吸音装置兼用する足場としては特許第２９０５７８１号を参照出来る。特許第２９０５７８１号の発明では、図１１に示すように、ある厚みを有し、上下の縦筋（主筋）とその間をジグザグに結ぶウェブ筋と上下の横筋とを含んでいる筋構造体（トラス構造体）中に柱状の多孔質吸音材が挿入される。また、特開２００１−２５４３２１号は、同様の筋構造体中に配管断熱用の円筒形の多孔質材料成形体を配したものを開示している。
【０００３】
【発明が解決しようとする課題】
これらの吸音装置を兼用する足場は強度があって好ましいものであるが、財政難から公共事業の経費が削減されなければならないという時代の要請により、低コストで軽量の足場が求められるようになってきた。一つのユニットの大きさを小さくすれば足場は軽量にすることが出来る。一方、軽量にしたものでも溶接するための接触面積が小さくなりすぎる場合には常にしっかりした構造のものが出来にくい。従って、低コストで軽量であるが、構造的にしっかりした足場用のユニットを提供することが本発明の目的である。
【０００４】
【課題を解決する手段】
本願発明者は、鋭意研究の結果、上記の課題を次の各々の構成により解決できることを発見し、本発明を完成させた。
１．  複数のユニットを桁等から吊り下げて又は桁等に固定して足場を形成するための長方形又は正方形の足場用ユニットに於いて、
該ユニットが構造材と該構造材に固定された踏み板とを含み、
該構造材が、平行に配置された少なくとも２本の断面Ｌ字等の形状の鉄骨で形成されたＬ字梁と、Ｌ字梁と直交するように平行に配置された少なくとも２本のトラス梁とを含み、
該トラス梁の各々は１本又は２本の平行な直線状の鉄筋と、該直線状の鉄筋に頂点部分が溶接されているトラス構造部の複数を形成するためのジグザグ形の鉄筋とからなり、
該Ｌ字梁は、各々のトラス梁に関して、該直線状の鉄筋と該トラス構造部を形成する鉄筋のなす頂点が上向き又は下向きの三角形の一つに挿入されて、Ｌ字梁の一平面が該直線状の鉄筋と接しＬ字梁の該一平面に属さない平面の縁が該トラス構造部の頂点部分の内側に接しており、
該Ｌ字梁と該トラス梁との該接触部が溶接されている
ことを特徴とする足場用ユニット。
２．該ユニットが、該構造材の上下に取り付けられる上板及び底板と、該構造材の左右前後に取り付けられる側板と、該構造材の少なくとも２ヵ所に取付けられる固定部材とを含んでおり、該上板が該踏み板をなす請求項１に記載の足場用ユニット。
３．  該ユニットが、上板と底板の間に吸音材を含み、足場用ユニットで形成される足場が防音機能、吸音機能、又は消音機能を有している上記３に記載の足場用ユニット。
４．  該構造材の該トラス梁の各々が一本の直線状の鉄筋を有し、該直線状の鉄筋がトラス構造部を形成するためのジグザグ形の鉄筋の下側又は上側にある上記１に記載の足場用ユニット。
５．  上記１又は４に記載の足場用ユニットで使用される該構造材。
「断面Ｌ字形等の形状の鉄骨で形成されたＬ字梁」とは、断面がＬ字形のみならず断面がＴ字形の鉄骨やＬ字形の鉄骨を背中合わせに二つ合わせたものも同じ機能を有し得るから、「Ｌ字梁」の断面がＬ字形状のみに限定されないが、断面Ｌ字形のものが単純で代表的であるからＬ字梁と表現することを意味するものである。
【０００５】
【実施例】
以下図面を参照して本発明を説明する。図１は、各々のトラス梁が２本の平行な直線状の鉄筋を有する、本発明の足場ユニットで使用する構造材１が製造される過程のある時点を示す透視図である。一つのユニットの辺の長さは、例えば２〜３ｍ程度にすることが出来る。
【０００６】
トラス梁２は二本の平行な直線状の鉄筋４，４’及びトラス構造部を形成するためのジグザグ形の鉄筋５からなる。トラス梁２の形成方法としては、直線状の鉄筋が一本であれ二本であれ、直線状の鉄筋をトラス構造部を形成するためのジグザグ形に曲げた一本の鉄筋のジグザグの頂点の外側に溶接してトラス梁２を形成するのが好ましい。直線状の鉄筋にジグザグ形に短い複数の鉄筋を溶接してトラス梁２を形成するよりも一本のジグザグ形の鉄筋５を用いる場合のほうが強度的によいからである。直線状の鉄筋４，４’の間の間隔は、足場ユニットの面積にもよるがユニットの厚みが薄いものにしたい場合は、例えば１２ｃｍ程度でもよい。この程度の厚みがあれば、図４に示される吸音材７の十分な厚みが確保できると共に、強度も得られる。
【０００７】
Ｌ字梁３は、各々のトラス梁について、直線状の鉄筋４，４’とトラス構造部を形成するためのジグザグ形の鉄筋５とで形成される三角形の一つに挿入されている。Ｌ字梁３の一平面（この場合は下面）はトラス梁の下側の直線状の鉄筋４’と接しており、それとは別の平面の縁はトラス梁のジグザグの頂点の内側と接している。これらの接触部分に於いてＬ字梁とトラス梁とは溶接されている。図１の構造材１は、上下を逆にしたものでもよい。
【０００８】
図２は、各々のトラス梁が１本のみの直線状の鉄筋を有し、その鉄筋がトラス構造部を形成するためのジグザグ形の鉄筋の下側にある、本発明の足場ユニットで使用する構造材の例の正面図あらわす。１本のみの直線状の鉄筋を有するトラス梁でも、たわみに対して十分な抗力を有している。
【０００９】
図３は、各々のトラス梁が１本のみの直線状の鉄筋を有し、その鉄筋がトラス構造部を形成するためのジグザグ形の鉄筋の上側にある、本発明の足場ユニットで使用する構造材の正面図あらわす。
【００１０】
強度が足りない場合には適宜Ｌ字梁又はトラス梁の間に斜めの平板を溶接して強度を増すことができる。
【００１１】
足場の踏み板は任意の方法でＬ字梁及び／又はトラス梁の任意の位置に取り付けることが出来る。図４に示される好ましい態様に於いては、足場用ユニット６は、構造材１の上に取り付けられる打ち抜き金属板等の上板８、構造材１の下に取り付けられるパンチングメタルボード等で形成された底板９、及び構造材１の前後左右に取り付けられる側板１０，１１，１２，１３を含んでおり、上板８が足場の踏み板をなす。図２の例では上板はトラス構造部分の頂点上に載る。これらの上板８、底板９、側板１０〜１３は、例えばそれらの縁と縁とがぶつかり合う一方の縁に溝を形成し、他方の縁を溝に差し込んで箱状に形成することが出来る。
【００１２】
図４で示される足場ユニットは吸音材７を有する。吸音材７を用いること、及び底板９にパンチングメタルボードを用いることにより、足場に防音効果又は吸音効果を与えることが出来る。このような効果を有する恒久足場を有する高架道路下では、反響音が小さく、騒音を小さくすることが出来る。
【００１３】
足場構造体の各ユニット各々は、図５に例示される高架道路等の高架下のけた１７等の構造体又はそこからのびるアーム１８等に固定具により固定される。この固定は形態上の理由でＬ字梁に対してなされるのが都合がよいが、例えば図４に示すように、Ｌ字梁にボルト１４で固定されるか又は溶接により固定される取付板１５を介して行うことが出来る。このため、この図４の例では上板には取付板１５を通すための打ち抜き穴１６が設けられている。
【００１４】
【効果】
イ）それぞれ２本等の小数のＬ字梁とトラス梁のみからなる構造材により足場ユニットの軽量化が実現出来る。
ロ）Ｌ字梁の平面部分とトラス梁の直線状の鉄筋との接触部分が大きいから安定した強度の溶接が実現出来る。
ハ）足場構造材の各ユニット各々は、高架道路等の高架下のけた等の構造体又はそこからのびるアーム等を経由して、固定具により固定されなければならないから、各ユニットは固定具がしっかりと取り付け得るものでなければならなが、本発明のＬ字梁はそれを実現するのに適している。
ニ）Ｌ字梁とトラス梁の組み合わせは、交差させる形状として適している。一方、トラス梁どうし又はＬ字梁どうしを交差させるのは困難である。従ってＬ字梁とトラス梁が２本づつの場合のみならず、３本づつの構造材の場合も容易に形成出来る。
ホ）Ｌ字梁の縁の一つはトラス梁のトラス構造部分の３角の頂点の内側にはまり込むので、溶接部分がはがれるような力がかからない。
ヘ）吸音材を収容する空間が確保され、吸音装置兼恒久足場用として適している。また収容空間に邪魔になるものが無いか少ないから、吸音材を配置するのも容易である。
【図面の簡単な説明】
【図１】各々が２本の平行な直線状の鉄筋を有するトラス梁にＬ字梁を挿入する様子を示した、本発明の足場ユニットで使用する構造材の製造過程のある時点を示す透視図。
【図２】各々のトラス梁が上筋のなしの１本のみの直線状の鉄筋を有し、その鉄筋がトラス構造部を形成するためのジグザグ形の鉄筋の下側にある、本発明の足場ユニットで使用する構造材の正面図。
【図３】各々のトラス梁が下筋なしの１本のみの直線状の鉄筋を有し、その鉄筋がトラス構造部を形成するためのジグザグ形の鉄筋の上側にある、本発明の足場ユニットで使用する構造材の正面図。
【図４】本発明の足場用ユニットの位置具体例の分解透視図。
【図５】本発明の足場用ユニットの高架道路の下での使用を断面で説明するための説明図。
【図１】
2004190304.tif 000003
【図２】
2004190304.tif 000004
【図３】
2004190304.tif 000005
【図４】
2004190304.tif 000006
【図５】
2004190304.tif 000007